(57)【要約】【課題】大型化せず、便器洗浄を良好に行なうことができる洗浄タンク装置及び水洗式便器を提供する。【解決手段】洗浄タンク装置１０は吸気装置４０を備えている。吸気装置４０は、吸気室４１、ガイド部４２、フロート部材４３及び弁室４４を具備している。吸気室４０は、第１側面部４１Ａと開口部４１Ｄが貫設された第１上面部４１Ｂとにより形成され、連通口４１Ｃが設けられている。ガイド部４２は、側面下部に第１小孔４２Ａが貫設された筒状であり、開口部４１Ｄの下方に立設されている。フロート部材４３は、開口部４１Ｄを挿通し、ガイド部４２内に挿入され、吸気室４１内における洗浄水の最高水位よりも低い設定水位以下で下降する。弁室４４は、第２側面部４４Ａと吸気口４４Ｃ及び第２小孔４４Ｄが貫設された第２上面部４４Ｂとにより形成されている。吸気口４４Ｃは、フロート部材４３が上昇した際、フロート部材４３により閉鎖される。【選択図】図１
2011102462.tif 000002
【特許請求の範囲】
【請求項１】
便鉢及び便鉢の下流側に連通する便器排水路を備えた便器本体を洗浄する洗浄水を貯留し、開閉弁により開閉可能な排水口を有した洗浄タンク本体と、洗浄タンク本体内に洗浄水を供給する給水装置と、便器排水路内の空気を吸引する吸気装置とを備えた洗浄タンク装置であって、
前記吸気装置は、前記洗浄タンク本体内を区画した第１側面部と、この第１側面部の上端に連結され、開口部が貫設された第１上面部とにより形成され、連通口が設けられた吸気室と、
吸気室内であって前記開口部の下方に位置し、側面下部又は底部に第１小孔が貫設され、上端が開口した筒状のガイド部と、
前記吸気室の開口部を挿通し、前記ガイド部の上端の開口からガイド部内に挿入され、吸気室内における洗浄水の最高水位よりも低い設定水位以下で下降するフロート部材と、
前記開口部の周縁に沿って立ち上がった第２側面部と、この第２側面部に連結され、吸気口及び第２小孔が貫設された第２上面部とにより形成された弁室とを具備し、
前記吸気口及び前記第２小孔は吸気路を介して便器排水路に連通され、吸気口は、前記フロート部材が上昇した際、フロート部材により閉鎖されることを特徴とする洗浄タンク装置。
【請求項２】
前記フロート部材は、上部側面に形成され、上昇時に前記弁室と前記吸気室とを連通する通気路を有していることを特徴とする請求項１記載の洗浄タンク装置。
【請求項３】
前記フロート部材は、上端部の周縁に外側に延びて形成された鍔部を有し、下降時にこの鍔部の下面が前記開口部の周縁の上面に当接し、開口部を閉鎖することを特徴とする請求項１又は２記載の洗浄タンク装置。
【請求項４】
前記ガイド部の上端は、前記吸気室内における洗浄水の最高水位よりも下方に位置していることを特徴とする請求項３記載の洗浄タンク装置。
【請求項５】
便鉢及び便鉢の下流側に連通する便器排水路を備えた便器本体と、請求項１乃至４のいずれか１項記載の洗浄タンク装置とを具備し、
前記便器排水路に吸気路を介して前記吸気口が連通され、前記弁鉢の上部開口の内周縁に設けられたリム通水路に前記排水口が連通されていることを特徴とする水洗式便器。
【発明の詳細な説明】
【技術分野】
【０００１】
本発明は洗浄タンク装置及び水洗式便器に関する。
【背景技術】
【０００２】
特許文献１に従来の洗浄タンク装置が開示されている。この洗浄タンク装置は、洗浄タンク本体と、給水装置と、便器排水路内の空気を吸引する吸気装置とを備えている。洗浄タンク本体は、開閉弁により開閉可能な排水口を有し、便器本体の洗浄に利用される洗浄水を貯留可能である。洗浄タンク本体の排水口は、便鉢及び便鉢の下流側に連通する便器排水路を有する便器本体に連通されている。給水装置は洗浄タンク本体内に洗浄水を供給可能である。吸気装置は、洗浄タンク本体内に配置され、上端が閉鎖され下端が開口したブースと、ブース内であって洗浄タンク本体内の最高水位より上方まで延びた吸気路とから構成されている。吸気路は便器排水路に連通されている。
【０００３】
この洗浄タンク装置では、排水口の開閉弁を開弁し、便器洗浄を開始すると、洗浄タンク本体内に貯留された洗浄水が排水口から便器本体に流出する。これにより、洗浄タンク本体内の洗浄水の水位は低下する。この際、吸気装置のブース内では、吸気路を介して便器排水路内の空気が吸引されて、洗浄水の水位が低下する。つまり、ブース内の洗浄水の水位の低下にしたがって吸気装置は便器排水路内の空気を吸引する。便器洗浄の際に吸気装置が便器排水路内の空気を吸引することによって、便器排水路内にサイホン作用を確実に発生させ、そのサイホン作用を促進させることができる。
【先行技術文献】
【特許文献】
【０００４】
【特許文献１】特開平７−４２２１７号公報
【発明の概要】
【発明が解決しようとする課題】
【０００５】
しかし、上記従来の洗浄タンク装置では、便器洗浄が開始されてから所定量の洗浄水が洗浄タンク本体の排水口から便器本体へ流出し、排水口の開閉弁が閉弁されるまでの間、ブース内の洗浄水の水位は略一定の速度で低下する。つまり、この吸気装置は便器洗浄の開始と同時に便器排水路内の空気の吸引を開始する。このため、洗浄タンク本体内から流出した洗浄水により便器排水路内へ洗浄水が流入する前から吸気装置は便器排水路内の空気を吸引することになる。便器排水路内にサイホン作用を発生させるためには、便器排水路内に所定流量の洗浄水が流入する状態でなければならず、それ以前に便器排水路内の空気を吸引してもサイホン作用の発生に寄与するものではない。
【０００６】
また、便器排水路内にサイホン作用を確実に発生させるためには、サイホン作用の発生時に吸気装置によって便器排水路内の空気を勢い良く吸引することが望ましい。この吸気装置において空気を勢い良く吸引するためにはブースの容量を大きくしなければならない。このため、便器排水路内の空気を勢い良く吸引しようとすれば洗浄タンク本体が大型化してしまうおそれがある。
【０００７】
また、この吸気装置では、便器洗浄の開始から終了までの間、便器排水路内の空気は略一定の強さで吸引される。このため、便器排水路内にサイホン作用を確実に発生させるために吸気装置のブースの容量を大きくして便器排水路内の空気を勢い良く吸引する場合には、便器洗浄の後半においても吸気装置が便器排水路内の空気を勢い良く吸引することになる。便器洗浄の後半において便器排水路内に流入する洗浄水の流量が減少した状態で便器排水路内の空気を勢い良く吸引しすぎると、便器排水路内の洗浄水が不足し、サイホン作用が早期に終了するおそれがある。この場合、便器本体からの汚物等の排出が不十分になるおそれがある。
【０００８】
本発明は、上記従来の実情に鑑みてなされたものであって、大型化せず、便器洗浄を良好に行なうことができる洗浄タンク装置及び水洗式便器を提供することを解決すべき課題としている。
【課題を解決するための手段】
【０００９】
本発明の洗浄タンク装置は、便鉢及び便鉢の下流側に連通する便器排水路を備えた便器本体を洗浄する洗浄水を貯留し、開閉弁により開閉可能な排水口を有した洗浄タンク本体と、洗浄タンク本体内に洗浄水を供給する給水装置と、便器排水路内の空気を吸引する吸気装置とを備えた洗浄タンク装置であって、
前記吸気装置は、前記洗浄タンク本体内を区画した第１側面部と、この第１側面部の上端に連結され、開口部が貫設された第１上面部とにより形成され、連通口が設けられた吸気室と、
吸気室内であって前記開口部の下方に位置し、側面下部又は底部に第１小孔が貫設され、上端が開口した筒状のガイド部と、
前記吸気室の開口部を挿通し、前記ガイド部の上端の開口からガイド部内に挿入され、吸気室内における洗浄水の最高水位よりも低い設定水位以下で下降するフロート部材と、
前記開口部の周縁に沿って立ち上がった第２側面部と、この第２側面部に連結され、吸気口及び第２小孔が貫設された第２上面部とにより形成された弁室とを具備し、
前記吸気口及び前記第２小孔は吸気路を介して便器排水路に連通され、吸気口は、前記フロート部材が上昇した際、フロート部材により閉鎖されることを特徴とする。
【００１０】
この洗浄タンク装置では、便器洗浄の開始時、吸気口はフロート部材により閉鎖されている。洗浄タンク本体の排水口の開閉弁が開弁され、便器洗浄が開始されると、洗浄タンク本体内に貯留された洗浄水が排水口から便器本体へ流出し、第１側面部により吸気室と区画されて洗浄タンク本体内に形成された貯水室内の洗浄水の水位が低下し始める。一方、吸気室内の洗浄水の水位は、吸気口がフロート部材により閉鎖されているため、第２小孔のみを介して流入する空気量に応じて、徐々にゆっくりと低下する。その後、吸気室内の水位が設定水位以下に低下するとフロート部材が下降し始める。フロート部材の下降に伴って吸気口は開放される。吸気口が開放される時点では、吸気室内と貯水室内とは大きな水頭差が生じている。この水頭差により吸気口が開放されると吸気室内の洗浄水の水位は急激に低下する。これにより、この吸気装置は便器排水路内の空気を勢い良く吸引する。このように、この洗浄タンク装置では、吸気装置を大型化しなくても、便器排水路内の空気を勢い良く吸引することができる。
【００１１】
また、便器洗浄が開始されてから吸気口が開放されるまでにタイムラグが設けられるため、吸気口が開放された時点において洗浄タンク本体内から便器本体へ流出した洗浄水により、便器排水路内に所定流量の洗浄水が流入している状態にすることができる。つまり、便器排水路内に所定流量の洗浄水が流入している状態で吸気装置が便器排水路内の空気を勢い良く吸引するため、便器排水路内にサイホン作用を確実に発生させることができる。
【００１２】
また、吸気口が開放された後、時間の経過とともに吸気室内の洗浄水の水位と貯水室内の洗浄水の水位との高低差は小さくなるため、吸気装置の吸引流量も徐々に小さくなる。このため、便器洗浄の後半において、吸気装置の吸引流量が大きすぎることが原因で便器排水路内のサイホン作用が終了してしまうことを防止し、サイホン作用を継続させることができる。
【００１３】
また、この吸気装置では、所定量の洗浄水が洗浄タンク本体の排水口から便器本体へ流出し、排水口の開閉弁が閉弁されるまで、便器排水路内の空気を吸引し続ける。このように、サイホン作用が発生している間、吸気装置は便器排水路内の空気を吸引し続け、便器排水路内の空気を少なくしている。これにより、便器排水路内の洗浄水の流れが空気の残留により邪魔され難く、便器排水路内の汚物等の搬送を良好に行なうことができる。
【００１４】
したがって、本発明の洗浄タンク装置は、大型化せず、便器洗浄を良好に行なうことができる。
【００１５】
前記フロート部材は、上部側面に形成され、上昇時に前記弁室と前記吸気室とを連通する通気路を有し得る。この場合、吸気口及び第２小孔から弁室に流入した空気を吸気室に良好に流入させることができる。このため、この吸気装置は便器排水路内の空気を良好に吸引することができ、便器排水路内にサイホン作用を良好に発生させることができる。
【００１６】
前記フロート部材は、上端部の周縁に外側に延びて形成された鍔部を有し、下降時にこの鍔部の下面が前記開口部の周縁の上面に当接し、開口部を閉鎖し得る。この場合、寒冷地等において洗浄タンク本体の水抜きを行った場合、便器排水路に連通する開口部をフロート部材で閉鎖することができる。このため、便器排水路から臭気の逆流等を防止することができる。
【００１７】
前記ガイド部の上端は、前記吸気室内における洗浄水の最高水位よりも下方に位置し得る。この場合、ガイド部の上端より上方では、吸気室内の洗浄水の水位は連通口から貯水室内に流出する洗浄水に流量に応じて一様に低下する。また、吸気口が開放された後は、吸気室内の洗浄水の水位は勢い良く低下する。吸気室内の洗浄水の水位がガイド部の上端より下方に低下すると、ガイド部内の洗浄水は第１小孔のみから排出されるため、ガイド部内の洗浄水の水位はガイド部より外側の吸気室内の洗浄水の水位よりゆっくりと低下する。このため、フロート部材が吸気口を開放してから開口部を閉鎖するまでの時間を長くすることができる。これにより、所定量の洗浄水が洗浄タンク本体の排水口から便器本体へ流出し、排水口の開閉弁が閉弁されるまで、フロート部材が開口部を閉鎖せずに吸気装置が便器排水路内の空気を吸引し続けることができる。このように、サイホン作用が発生している間、吸気装置は便器排水路内の空気を吸引し続け、便器排水路内の空気を少なくしている。これにより、便器排水路内の洗浄水の流れが空気の残留により邪魔され難く、便器排水路内の汚物等の搬送を良好に行なうことができる。
【００１８】
本発明の水洗式便器は、便鉢及び便鉢の下流側に連通する便器排水路を備えた便器本体と、上記の洗浄タンク装置とを具備し、
前記便器排水路に吸気路を介して前記吸気口が連通され、前記弁鉢の上部開口の内周縁に設けられたリム通水路に前記排水口が連通されていることを特徴とする。
【００１９】
この水洗式便器では、上述したように、洗浄タンク装置が大型化せず、便器洗浄を良好に行なうことができる。
【図面の簡単な説明】
【００２０】
【図１】実施例１の水洗式便器を示す概略図である。
【図２】便器洗浄前の実施例１の吸気装置を示す断面図である。
【図３】吸気口が開放された直後の実施例１の吸気装置を示す断面図である。
【図４】吸気途中の実施例１の吸気装置を示す断面図である。
【図５】水抜き時の実施例１の吸気装置を示す断面図である。
【図６】実施例２の吸気装置を示す断面図である。
【図７】実施例２の吸気装置の要部を示す断面図である。
【発明を実施するための形態】
【００２１】
本発明の洗浄タンク装置及び水洗式便器を具体化した実施例１及び２を図面を参照しつつ説明する。
【００２２】
＜実施例１＞
実施例１の水洗式便器は、図１に示すように、便器本体１と便器本体１の後部上面に載置された洗浄タンク装置１０とを具備している。便器本体１は便鉢２及び便鉢２の下流側に連通する便器排水路３を備えている。また、便鉢２の上部開口の内周縁にはリム通水路４が設けられている。
【００２３】
洗浄タンク装置１０は、洗浄タンク本体２０、給水装置であるボールタップ３０及び吸気装置４０を備えている。洗浄タンク本体２０は、便器本体１を洗浄する洗浄水を貯留し、開閉弁であるフロート弁２１により開閉可能な排水口２２を有している。排水口２２は、洗浄タンク本体２０内であって、後述する貯水室２５側の底部に貫設されている。フロート弁２１は玉鎖２３を介して図示しない洗浄ハンドルに連結されている。排水口２２は洗浄水路５を介してリム通水路４に連通されている。便器洗浄の際、用便者等が洗浄ハンドルを操作することにより、フロート弁２１が玉鎖２３によって引き上げられる。これにより、洗浄タンク本体２０内に貯留された洗浄水を排水口２２からリム通水路４に流出させることができる。洗浄タンク本体２０は、排水口２２より下方の洗浄水路５に連通されたオーバーフロー管２４を有している。オーバーフロー管２４は、後述する貯水室２５内であって、その最高水位ＬＡ１よりも上方に立ち上げられている。
【００２４】
ボールタップ３０は、この水洗式便器が設置されるトイレルームに引き出された給水管に接続された吐水管３１と、吐水管３１に設けられた開閉弁３２とを有している。吐水管３１は洗浄タンク本体２０内に形成された後述する貯水室２５内に直接的に洗浄水を吐水可能に設けられている。開閉弁３２は、洗浄タンク本体２０内であって、貯水室２５内の洗浄水の水位の変化にしたがって昇降する浮玉３３により開閉駆動される。つまり、浮玉３３が下降すると開閉弁３２が開弁され、吐水管３１から洗浄タンク本体２０内の貯水室２５内に洗浄水が直接的に吐水される。また、開閉弁３２は、貯水室２５内の洗浄水の水位が最高水位ＬＡ１まで上昇すると、浮玉３３の上昇により閉弁する。
【００２５】
吸気装置４０は、図１〜図５に示すように、吸気室４１、ガイド部４２、フロート部材４３及び弁室４４を具備している。
【００２６】
吸気室４１は、洗浄タンク本体２０内を区画し、上下方向に延びる円筒状の第１側面部４１Ａと、この第１側面部４１Ａの上端に連結された第１上面部４１Ｂとにより形成されている。第１上面部４１Ｂの中央部には、円形状の開口部４１Ｄが貫設されている。開口部４１Ｄは、その縁部から立ち上がった立壁部４１Ｅを有している。第１上面部４１Ｂは洗浄タンク本体２０内の洗浄水の最高水位（後述する貯水室２５の最高水位ＬＡ１及び吸気室４１内の最高水位ＬＢ１）より僅かに上方に配置されている。第１側面部４１Ａの下端部には連通口４１Ｃが横方向を向いて貫設されている。洗浄タンク本体２０内には吸気室４１と区画された貯水室２５が形成されている。吸気室４１と貯水室２５とは連通口４１Ｃを介して連通されている。
【００２７】
ガイド部４２は、上端が開口し、下端が閉鎖した円筒状である。このガイド部４２は吸気室４１内であって開口部４１Ｄの下方に立設されている。ガイド部４２の内径は開口部４１Ｄの開口径と略等しい。ガイド部４２の側面下部には第１小孔４２Ａが貫設されている。ガイド部４２の上端４２Ｔは、吸気室４１内における洗浄水の最高水位よりも下方に位置している。
【００２８】
フロート部材４３は、上端が閉鎖された円筒部材４３Ａと、その内部に注入された浮力を有する発泡材料４３Ｂとにより形成されている。円筒部材４３Ａの外形は、ガイド部４２の内径及び開口部４１Ｄの開口径よりも小さく形成されている。フロート部材４３の上部には、発泡材料４３Ｂが注入されていない空洞部４３Ｃが形成されている。空洞部４３Ｃの側面を形成する円筒部材４３Ａには縦長の通気孔４３Ｄが対向する２ヶ所に貫設されている。フロート部材４３の上端部の周縁には、外側に延びた鍔部４３Ｅが形成されている。鍔部４３Ｅの外形は円形状であり、開口部４１Ｄよりも大きく形成されている。鍔部４３Ｅの下面にはシール材４３Ｓが貼着されている。
【００２９】
フロート部材４３は開口部４１Ｄを挿通し、ガイド部４２の上端の開口からガイド部４２内に挿入されている。フロート部材４３の外側面とガイド部４２の内側面とは僅かな隙間を有しており、フロート部材４３はガイド部４２の内側面に案内されて昇降する。フロート部材４３は、吸気室４１内における洗浄水の最高水位ＬＢ１よりも低い設定水位ＬＢ２以下で下降する。
【００３０】
弁室４４は、開口部４１Ｄの周縁に沿って立ち上がった第２側面部４４Ａと、第２側面部４４Ａの上端に連結された第２上面部４４Ｂとにより形成されている。第２上面部４４Ｂには、開口面積が大きい吸気口４４Ｃと開口面積が小さい第２小孔４４Ｄとが貫設されている。吸気口４４Ｃの周縁部の下面にはシール材４４Ｓが貼着されている。吸気口４４Ｃ及び第２小孔４４Ｄは吸気路６を介して便器排水路３に連通されている。
【００３１】
フロート部材４３が上昇した際、フロート部材４３の上面が吸気口４４Ｃの周縁部の下面に貼着されたシール材４４Ｓに当接する。これにより、吸気口４４Ｃはフロート部材４３により閉鎖される。この状態がフロート部材４３の最も上昇した位置である（以下、フロート部材４３の最上昇位置という。）。また、フロート部材４３が下降した際、フロート部材４３の鍔部４３Ｅの下面に貼着されたシール部材４３Ｓが開口部４１Ｄの縁部から立ち上がった立壁部４１Ｅの上端面に当接する。これにより、開口部４１Ｄはフロート部材４３により閉鎖される。この状態がフロート部材４３の最も下降した位置である（以下、フロート部材４３の最下降位置という。）。
【００３２】
フロート部材４３の最上昇位置と最下降位置との間では、フロート部材４３の通気孔４３Ｄ及び空洞部４３Ｃにより、弁室４４と吸気室４１とを連通する通気路が形成されている。このため、吸気口４４Ｃ及び第２小孔４４Ｄから弁室４４に流入した空気を吸気室４１に良好に流入させることができる。よって、この吸気装置４０は便器排水路３内の空気を良好に吸引することができ、便器排水路３内にサイホン作用を良好に発生させることができる。
【００３３】
次に、このように構成された水洗式便器の便器洗浄工程を説明する。
【００３４】
便器洗浄を開始する前は、図１及び図２に示すように、洗浄タンク本体２０内には所定量の洗浄水が貯水されている。つまり、貯水室２５内には最高水位ＬＡ１まで洗浄水が貯水され、吸気室４１内には最高水位ＬＢ１まで洗浄水が貯水されている。また、フロート部材４３は最上昇位置に上昇しており、吸気装置４０の吸気口４４Ｃはフロート部材４３により閉鎖されている。
【００３５】
用便者等により洗浄ハンドルが操作され、便器洗浄が開始されると、フロート弁２１が玉鎖２３を介して引き上げられ、排水口２２が開放される。すると、貯水室２５内の洗浄水が排水口２２からリム通水路４に流出する。この際、貯水室２５内の洗浄水の水位は急激に低下する。一方、吸気室４１は、吸気口４４Ｃがフロート部材４３により閉鎖されているため、第２小孔４４Ｄのみを介して空気が流入する。このため、第２小孔４４Ｄから流入する空気量に応じて、吸気室４１内の洗浄水の水位は徐々にゆっくりと低下し始める。吸気室４１内の水位がフロート部材４３が低下し始める設定水位ＬＢ１に低下するまでは、吸気口４４Ｃはフロート部材４３により閉鎖されたままである。
【００３６】
その後、吸気室４１内の水位が設定水位ＬＢ１以下に低下すると、図３に示すように、フロート部材４３が下降し始める。フロート部材４３の下降に伴って吸気口４４Ｃが開放される。吸気口４４Ｃが開放された時点では、吸気室４１内と貯水室２５内とは大きな水頭差が生じている。この水頭差により吸気口４４Ｃが開放されると吸気室４１内の洗浄水の水位は急激に低下し、図４に示すように、貯水室２５内の洗浄水の水位と同じ高さになる。この過程において、吸気装置４０は吸気路６を介して便器排水路３内の空気を勢い良く吸引する。このように、この洗浄タンク装置１０では、吸気装置４０を大型化しなくても、便器排水路３内の空気を勢い良く吸引することができる。
【００３７】
また、便器洗浄が開始されてから吸気口４４Ｃが開放されるまでにタイムラグが設けられるため、吸気口４４Ｃが開放された時点において洗浄タンク本体２０の貯水室２５内から便器本体１のリム通水路４に流出した洗浄水により、便器排水路３内に所定流量の洗浄水が流入している状態にすることができる。つまり、便器排水路３内に所定流量の洗浄水が流入している状態で吸気装置４０が便器排水路３内の空気を勢い良く吸引するため、便器排水路３内にサイホン作用を確実に発生させることができる。
【００３８】
吸気室４１内の洗浄水の水位がガイド部４２の上端４２Ｔより下方に低下すると、ガイド部４２内の洗浄水は第１小孔４２Ａのみから排出されるため、ガイド部４２内の洗浄水の水位ＬＣはガイド部４２より外側の吸気室４１内の洗浄水の水位の低下に比べてゆっくりと低下する。このため、フロート部材４３が吸気口４４Ｃを開放してから開口部４１Ｄを閉鎖するまで（フロート部材４３が最下降位置に下降するまで）の時間を長くすることができる。これにより、所定量の洗浄水が洗浄タンク本体２０の排水口２２からリム通水路４へ流出し、排水口２２がフロート弁２１により閉鎖されるまで、フロート部材４３が開口部４１Ｄを閉鎖せずに吸気装置４０が便器排水路３内の空気を吸引し続けることができる。
【００３９】
また、吸気口４４Ｃが開放された後、時間の経過とともに吸気室４１内の洗浄水の水位と貯水室２５内の洗浄水の水位との高低差は小さくなるため、吸気装置４０の吸引流量も徐々に小さくなる。このため、便器洗浄の後半において、吸気装置４０の吸引流量が大きすぎることが原因で便器排水路３内のサイホン作用が終了してしまうことを防止し、サイホン作用を継続させることができる。
【００４０】
吸気室４１内及び貯水室２５内の洗浄水の水位が同じ高さになった後も、吸気室４１内及び貯水室２５内の洗浄水が排水口２２からリム通水路４に流出し続ける。吸気室４１及び貯水室２５内の洗浄水の水位が連通口４１Ｃの上端より下方に低下してしまう直前にフロート弁２１が排水口２２を閉鎖する。これにより、吸気装置４０は便器排水路３内の空気の吸引を終了する。また、便器排水路３内への洗浄水の供給が減少するため便器排水路３内のサイホン作用は終了する。このように、この吸気装置４０では、所定量の洗浄水が洗浄タンク本体２０の排水口２２からリム通水路４に流出し、排水口２２がフロート弁２１により閉鎖されるまで、便器排水路３内の空気を吸引し続ける。このため、サイホン作用が発生している間、吸気装置４０は便器排水路３内の空気を吸引し続け、便器排水路３内の空気を少なくしている。これにより、便器排水路３内の洗浄水の流れが空気の残留により邪魔され難く、便器排水路３内の汚物の搬送を良好に行なうことができる。
【００４１】
したがって、実施例１の水洗式便器は、大型化せず、便器洗浄を良好に行なうことができる。
【００４２】
フロート弁２１が排水口２２を閉鎖した後も、ボールタップ３０の吐水管３１から貯水室２５内に直接的に洗浄水が吐水される。吸気装置４０の吸気口４４Ｃは開放されているため、連通口４１Ｃを介して吸気室４１内にも洗浄水は流入する。このため、貯水室２５内及び吸気室４１内の洗浄水の水位は同じ高さで上昇する。ガイド部４２内には、第１小孔４２Ａからも洗浄水が流入するが、ガイド部４２より外側の吸気室４１からガイド部４２の上端４２Ｔを乗り越えて洗浄水は流入する。ガイド部４２内の洗浄水の水位の上昇にしたがって、フロート部材４３は上昇する。貯水室２５内が最高水位ＬＡ１となり、吸気室４１内が最高水位ＬＢ１となると、ボールタップ３０の開閉弁３２が閉弁される。それと同時に、フロート部材４３が最上昇位置となり、吸気口４４Ｃが閉鎖される。また、フロート弁２１が排水口２２を閉鎖してからボールタップ３０の開閉弁３２が閉弁されるまでの間、ボールタップ３０から分岐された図示しない給水路、オーバーフロー管２４及び洗浄水路５を介してリム通水路４に洗浄水が供給され、便鉢２内に水封が形成される。このように、便器洗浄が終了するとともに、図１及び図２に示すように、便器洗浄の開始前の状態に水洗式便器を待機させることができる。
【００４３】
この水洗式便器において、洗浄タンク本体２０の水抜きを行った場合、図５に示すように、洗浄タンク本体２０内の洗浄水が殆んど排出され、フロート部材４３が最下降位置となり、開口部４１Ｄが閉鎖される。このため、洗浄タンク本体２０の水抜き時に便器排水路３から臭気の逆流等を防止することができる。
【００４４】
＜実施例２＞
実施例２の水洗式便器は、洗浄タンク装置１０に、図６及び図７に示す吸気装置５０を備えたものである。この水洗式便器における他の構成は実施例１と同じであり、同一の構成については同一の符号を付し詳細な説明を省略する。
【００４５】
この吸気装置５０は、吸気室５１、ガイド部５２、フロート部材５３及び弁室５４を具備している。吸気室５１は、洗浄タンク本体２０内を区画し、上下方向に延びる円筒状の第１側面部５１Ａと、この第１側面部５１Ａの上端に連結された第１上面部５１Ｂとにより形成されている。第１上面部５１Ｂには、円形状の開口部５１Ｄが貫設されている。第１上面部５１Ｂの上面には、開口部５１Ｄの周縁部に沿って、上方に突出したリング状の凸部５１Ｅが形成されている。吸気装置５０が洗浄タンク本体２０内に配置された際、第１上面部５１Ｂは洗浄タンク本体２０内の洗浄水の最高水位より僅かに上方に配置される。第１側面部５１Ａの下端部は、下方に開口し、連通口５１Ｃを形成している。吸気装置５０が洗浄タンク本体２０内に配置された際、洗浄タンク本体２０の底面と第１側面部５１Ａの下端部との間に隙間を設けて配置される。このため、連通口５１Ｃを介して、吸気室５１と貯水室２５とは連通されている。
【００４６】
ガイド部５２は、上端が開口した円筒状の側面部５２Ａと、側面部５２Ａの下端に連結され、第１小孔５２Ｃが貫設された底面部５２Ｂから形成されている。側面部５２Ａの上端は、吸気室５１の上面部５１Ｂに貫設された開口部５１Ｄの周縁下面に連結されている。側面部５２Ａの上端部には複数の通気孔５２Ｄが貫設されている。吸気装置５０が洗浄タンク本体２０内に配置された際、通気孔５２Ｄの下端部が吸気室５１内における洗浄水の最高水位よりも下方に位置する。このため、洗浄タンク２０内に給水装置３０から洗浄水が供給され、吸気室５１内の洗浄水の水位が上昇すると、ガイド部５２内には第１小孔５２Ｃ及び通気孔５２Ｄから洗浄水が流入する。
【００４７】
フロート部材５３は、内部に浮力を有する発泡材料５３Ｂが注入され、上端が閉鎖された円筒部５３Ａと、円盤形状の上面部５３Ｄと、円筒部５３Ａの上端面と上端部５３Ｄの下端面とを連結した連結部５３Ｃと、上面部５３Ｄの上面に連結された円盤形状のシール部材５３Ｓとから形成されている。連結部５３Ｃは、水平断面形状が十字形である。円筒部５３Ａと、上端部５３Ｄと、連結部５３Ｃとは、開口部５１Ｄからガイド部５２内に挿入可能である。シール部材５３Ｓは、開口部５１Ｄの開口径よりも大きい外形を有し、鍔部５３Ｅを形成している。フロート部材５３は、吸気室５１内における洗浄水の最高水位よりも低い設定水位以下で下降し、ガイド部５２内の洗浄水の水位の変化に伴って昇降する。フロート部材５３が最下降位置に下降した際には、鍔部５３Ｅの下面が凸部５１Ｅの上面に当接し、シール部材５３Ｓが開口部５１Ｄを閉鎖可能である。
【００４８】
弁室５４は、開口部５１Ｄの周縁に沿って立ち上がった第２側面部５４Ａと、第２側面部５４Ａの内側面に連結された第２上面部５４Ｂとにより形成されている。第２上面部５４Ｂには、開口面積が大きい吸気口５４Ｃと開口面積が小さい第２小孔５４Ｄとが貫設されている。吸気口５４Ｃの開口径はシール部材５３の外形よりも小さく形成されている。第２上面部５４Ｂの下面には、吸気口５４Ｃの周縁部に下方に突出したリング状の凸部５４Ｅが形成されている。吸気口５４Ｃ及び第２小孔５４Ｄは吸気路６を介して便器排水路に連通されている。フロート部材５３が上昇した際、シール部材５３Ｓの上面が凸部５４Ｅの下面に当接する。これにより、吸気口５４Ｃはシール部材５３Ｓにより閉鎖される。この状態がフロート部材５３の最も上昇した最上昇位置である。
【００４９】
フロート部材５３の最上昇位置と最下降位置との間では、フロート部材５３の連結部５３Ｃ及びガイド部５２の側面部５２Ａに貫設された通気孔５２Ｄとにより、弁室５４と吸気室５１とを連通する通気路が形成される。このため、吸気口５４Ｃ及び第２小孔５４Ｄから弁室５４に流入した空気を吸気室５１に良好に流入させることができる。よって、この吸気装置５０は便器排水路内の空気を良好に吸引することができ、便器排水路内にサイホン作用を良好に発生させることができる。
【００５０】
次に、このように構成された吸気装置５０を備えた洗浄タンク装置１０を具備する水洗式便器の便器洗浄工程を説明する。
【００５１】
この水洗式便器において、便器洗浄を開始する前は、洗浄タンク本体２０内には所定量の洗浄水が貯水されている。このため、フロート部材５３は最上昇位置に上昇しており、吸気装置５０の吸気口５４Ｃはフロート部材５３のシール部材５３Ｓにより閉鎖されている。
【００５２】
用便者等により洗浄ハンドルが操作され、便器洗浄が開始されると、フロート弁２１が玉鎖２３を介して引き上げられ、排水口２２が開放される。すると、貯水室２５内の洗浄水が排水口２２からリム通水路４に流出する。この際、貯水室２５内の洗浄水の水位は急激に低下する。一方、吸気室５１は、吸気口５４Ｃがフロート部材５３のシール部材５３Ｓにより閉鎖されているため、第２小孔５４Ｄのみを介して空気が流入する。このため、第２小孔５４Ｄから流入する空気量に応じて、吸気室５１内の洗浄水の水位は徐々にゆっくりと低下し始める。フロート部材４３が低下し始めるまでは、吸気口５４Ｃはフロート部材５３のシール部材５３Ｓにより閉鎖されたままである。
【００５３】
その後、ガイド部５２内の洗浄水が第１小孔５２Ｃから流出し、ガイド部５２内の洗浄水の水位が低下すると、フロート部材５３が下降し始める。フロート部材５３の下降に伴って吸気口５４Ｃが開放される。吸気口５４Ｃが開放された時点では、吸気室５１ナイト貯水室２５内とは大きな水頭差が生じている。この水頭差により吸気口５４Ｃが開放されると吸気室５１内の洗浄水の水位は急激に低下し、貯水室２５内の洗浄水の水位と同じ高さになる。この過程において、吸気装置５０は吸気路６を介して便器排水路３内の空気を勢い良く吸引する。このように、この洗浄タンク装置１０では、吸気装置５０を大型化しなくても、便器排水路３内の空気を勢い良く吸引することができる。
【００５４】
また、便器洗浄が開始されてから吸気口５４Ｃが開放されるまでにタイムラグが設けられるため、吸気口５４Ｃが開放された時点において洗浄タンク本体２０の貯水室２５内から便器本体１のリム通水路４に流出した洗浄水により、便器排水路３内に所定流量の洗浄水が流入している状態にすることができる。つまり、便器排水路３内に所定流量の洗浄水が流入している状態で吸気装置５０が便器排水路３内の空気を勢い良く吸引するため、便器排水路３内にサイホン作用を確実に発生させることができる。
【００５５】
また、ガイド部５２内の洗浄水は第１小孔５２Ｃのみから排出されるため、フロート部材５３のシール部材５３Ｓが吸気口５４Ｃを開放してから開口部５１Ｄを閉鎖するまでの時間を長くすることができる。これにより、所定量の洗浄水が洗浄タンク本体２０の排水口２２からリム通水路４へ流出し、排水口２２がフロート弁２１により閉鎖されるまで、フロート部材５３のシール部材５３Ｓが開口部５１Ｄを閉鎖せずに吸気装置５０が便器排水路３内の空気を吸引し続けることができる。
【００５６】
また、吸気口５４Ｃが開放された後、時間の経過とともに吸気室５１内の洗浄水の水位と貯水室２５内の洗浄水の水位との高低差は小さくなるため、吸気装置５０の吸引流量も徐々に小さくなる。このため、便器洗浄の後半において、吸気装置５０の吸引流量が大きすぎることが原因で便器排水路３内のサイホン作用が終了してしまうことを防止し、サイホン作用を継続させることができる。
【００５７】
吸気室５１及び貯水室２５内の洗浄水の水位が連通口５１Ｃより下方に低下してしまう直前にフロート弁２１が排水口２２を閉鎖する。これにより、吸気装置５０は便器排水路３内の空気の吸引を終了する。また、便器排水路３内への洗浄水の供給が減少するため便器排水路３内のサイホン作用は終了する。このように、この吸気装置５０では、所定量の洗浄水が洗浄タンク本体２０の排水口２２からリム通水路４に流出し、排水口２２がフロート弁２１により閉鎖されるまで、便器排水路３内の空気を吸引し続ける。このため、サイホン作用が発生している間、吸気装置５０は便器排水路３内の空気を吸引し続け、便器排水路３内の空気を少なくしている。これにより、便器排水路３内の洗浄水の流れが空気の残留により邪魔され難く、便器排水路３内の汚物の搬送を良好に行なうことができる。
【００５８】
したがって、実施例２の水洗式便器も、大型化せず、便器洗浄を良好に行なうことができる。
【００５９】
フロート弁２１が排水口２２を閉鎖した後も、ボールタップ３０の吐水管３１から貯水室２５内に直接的に洗浄水が吐水される。吸気装置５０の吸気口５４Ｃは開放されているため、連通口５１Ｃを介して吸気室５１内にも洗浄水は流入する。このため、貯水室２５内及び吸気室５１内の洗浄水の水位は同じ高さで上昇する。ガイド部５２内には、第１小孔５２Ｃ及び通気孔５２Ｄからも洗浄水が流入する。ガイド部５２内の洗浄水の水位の上昇にしたがって、フロート部材５３は上昇する。貯水室２５内及び吸気室５１内が最高水位になると、ボールタップ３０の開閉弁３２が閉弁される。それと同時に、フロート部材５３が最上昇位置となり、吸気口５４Ｃが閉鎖される。また、フロート弁２１が排水口２２を閉鎖してからボールタップ３０の開閉弁３２が閉弁されるまでの間、ボールタップ３０から分岐された図示しない給水路、オーバーフロー管２４及び洗浄水路５を介してリム通水路４に洗浄水が供給され、便鉢２内に水封が形成される。このように、便器洗浄が終了するとともに、便器洗浄の開始前の状態に水洗式便器を待機させることができる。
【００６０】
この水洗式便器において、洗浄タンク本体２０の水抜きを行った場合、洗浄タンク本体２０内の洗浄水が殆んど排出され、フロート部材５３が最下降位置となり、開口部５１Ｄが閉鎖される。このため、洗浄タンク本体２０の水抜き時に便器排水路３から臭気の逆流等を防止することができる。
【００６１】
本発明は上記記述及び図面によって説明した実施例１及び２に限定されるものではなく、例えば次のような実施例も本発明の技術的範囲に含まれる。
（１）実施例１及び２では、吸気室が洗浄タンク本体とは別体であって円筒状の側面部により形成されていたが、吸気室は洗浄タンク本体と一体に形成されていてもよい。また、吸気室の側面部は円筒状でなくてもよい。
（２）実施例１及び２では、フロート部材は、円筒部材（円筒部）の内部に発泡材料を注入して形成したが、円筒部材（円筒部）の内部を空気を封入した気密室に形成し、浮力を有するようにしてもよい。
（３）実施例１及び２では、フロート部材に通気路を形成したが、通気路を形成しなくてもよい。この場合、フロート部材と開口部との隙間を利用して弁室と吸気室との間で空気を流通させればよい。
（４）実施例１及び２では、フロート部材の鍔部又はシール部材により吸気室を形成する上面部の開口部を閉鎖したが、開口部を閉鎖しない構成であってもよい。
【産業上の利用可能性】
【００６２】
本発明は洗浄タンク装置を有する水洗式便器に利用可能である。
【符号の説明】
【００６３】
１…便器本体
２…便鉢
３…便器排水路
６…吸気路
１０…洗浄タンク装置
２０…洗浄タンク本体
２１…フロート弁（開閉弁）
２２…排水口
３０…ボールタップ（給水装置）
４０、５０…吸気装置
４１、５１…吸気室
４１Ａ、５１Ａ…第１側面部
４１Ｂ、５１Ｂ…第１上面部
４１Ｃ、５１Ｃ…連通口
４１Ｄ、５１Ｄ…開口部
４２、５２…ガイド部
４２Ａ、５２Ｃ…第１小孔
４３、５３…フロート部材
４３Ｃ、４３Ｄ…通気路（４３Ｃ…空洞部、４３Ｄ…通気孔）
５３Ｃ、５２Ｄ…通気路（５３Ｃ…連結部、５２Ｄ…通気孔）
４３Ｅ、５３Ｅ…鍔部
４４、５４…弁室
４４Ａ、５４Ａ…第２側面部
４４Ｂ、５４Ｂ…第２上面部
４４Ｃ、５４Ｃ…吸気口
４４Ｄ、５４Ｄ…第２小孔
【図１】
2011102462.tif 000003
【図２】
2011102462.tif 000004
【図３】
2011102462.tif 000005
【図４】
2011102462.tif 000006
【図５】
2011102462.tif 000007
【図６】
2011102462.tif 000008
【図７】
2011102462.tif 000009